(57)【要約】【課題】使用性および耐久性を向上させた厨芥処理機を提供することを目的とする。【解決手段】厨芥を収納する収納容器５０と、前記収納容器５０内の厨芥を撹拌する撹拌手段５２と、前記撹拌手段５２を駆動する駆動源６８と前記駆動源６８が発する動力を前記撹拌手段５２に伝達する伝達装置とを備え、前記伝達装置は、ウォーム６７と前記ウォーム６７に噛み合うウォームホイ−ル６０とから構成されるとともに、前記ウォーム６７の進み角度を４°〜１０°の範囲に形成した厨芥処理器で、ロック状態の時でもウォーム６７がロックせずセルフロック解除となるため、回転が滑らかでかつ低騒音な使用性および耐久性を向上させた厨芥処理機を提供できる。【選択図】図１
2005185929.tif 000002
【特許請求の範囲】
【請求項１】
厨芥を収納する収納容器と、前記収納容器内の厨芥をする撹拌手段と、前記手段を駆動する駆動源と前記駆動源が発する動力を前記手段に伝達する伝達装置とを備え、前記伝達装置は、ウォームと前記ウォームに噛み合うウォームホイ−ルとから構成されるとともに、前記ウォームの進み角度を４°〜１０°の範囲に形成した厨芥処理器。
【請求項２】
駆動源の出力軸とウォームとを一体に形成した請求項１記載の厨芥処理器。
【請求項３】
駆動源の出力軸とウォームとを分離して、継手にて結合した請求項１記載の厨芥処理器。
【請求項４】
駆動源を厨芥を収納容器の下方に配設した請求項１〜３のいずれか１項に記載の厨芥処理器。
【請求項５】
ウォームの歯形とウォームホイ−ルを横転移形状に構成した請求項１〜４のいずれか１項に記載の厨芥処理器。
【請求項６】
ウォームホイ−ルの回転軸を手段と連結させた請求項１〜５のいずれか１項に記載の厨芥処理機。
【発明の詳細な説明】
【技術分野】
【０００１】
本発明は、収納容器内の厨芥を撹拌する撹拌手段を駆動させる駆動手段を備えた厨芥処理機に関するものである。
【背景技術】
【０００２】
従来、この種の駆動手段は駆動モータの回転をベルトや歯車により減速させて撹拌手段を駆動させている（例えば、特許文献１参照）。
【０００３】
図５は、特許文献１に記載された従来の厨芥処理機の断面図を示すものである。図５に示すように、モータ８の回転をプ−リ−９とベルト１０、および小ギヤ１１と大ギヤ１２とにより減速させて回転軸７に伝達させ、この回転軸７は厨芥を収納する収納容器１の底面から突き出たセンタ−軸４に回転自在に接続され、このセンタ−軸４に固定した回転刃３を回転させ収納容器１の内壁に設けた固定刃２とで厨芥を粉砕、撹拌させるように構成されている。
【特許文献１】特開平１１−１１４５２２号公報
【発明の開示】
【発明が解決しようとする課題】
【０００４】
しかしながら、前記従来の構成では、厨芥を粉砕および撹拌する回転刃３の回転は毎秒数回転以下の低速回転が必要でこれを得るためベルト減速と歯車減速を併用し、かつ平面スペ−スが大きくなり本体内に配置できないため上下２段に配置している。このベルト減速ではスリップ防止のためプ−リ−９の接触角をできるだけ大きく設定する必要から軸間距離を大きくしたり、ベルトを歯付きベルトにしたり、アイドラ−プ−リ−を用いたりしている。また、歯車減速では騒音の低減のため高精度を必要としていた。そのため、駆動手段として小形コンパクト化や部品数の削減、低コスト化に対する課題を有していた。
【０００５】
本発明は、従来の課題を解決するもので、駆動手段を小形コンパクト化し部品数の削減と特に伝達動力やロック状態での衝撃が大きい場合でも、歯飛び現象が起きず、使用性および耐久性を向上させた厨芥処理機を提供することを目的とする。
【課題を解決するための手段】
【０００６】
前記従来の課題を解決するために本発明は、厨芥を収納する収納容器と、前記収納容器内の厨芥を撹拌する撹拌手段と、前記撹拌手段を駆動する駆動源と前記駆動源が発する動力を前記撹拌手段に伝達する伝達装置とを備え、前記伝達装置は、ウォームと前記ウォームに噛み合うウォームホイ−ルとから構成されるとともに、前記ウォームの進み角度を４°〜１０°の範囲に形成した厨芥処理器で、減速はウォームと、これと噛合うウォームホイ−ルとの一対のウォームギヤによって、容易に大幅な減速比が得られることから、駆動源の出力トルクは軽減されるため、汎用の小形モータが採用でき、かつ、ウォームの進み角を４°〜１０°と適正な角度範囲にしたので、ロック状態の時でもウォームがロックせずセルフロック解除となるため、歯車への負荷が軽減され、その結果、回転が滑らかでかつかつ低騒音な使用性および耐久性を向上させた厨芥処理機を提供できる。
【発明の効果】
【０００７】
本発明によれば、使用性および耐久性を向上させた厨芥処理機を提供できる。
【発明を実施するための最良の形態】
【０００８】
第１の発明は、厨芥を収納する収納容器と、前記収納容器内の厨芥を撹拌する撹拌手段と、前記撹拌手段を駆動する駆動源と前記駆動源が発する動力を前記撹拌手段に伝達する伝達装置とを備え、前記伝達装置は、ウォームと前記ウォームに噛み合うウォームホイ−ルとから構成されるとともに、前記ウォームの進み角度を４°〜１０°の範囲に形成した厨芥処理器で、減速はウォームと、これと噛合うウォームホイ−ルとの一対のウォームギヤによって、容易に大幅な減速比が得られることから、駆動源の出力トルクは軽減されるため、汎用の小形モータが採用でき、かつ、ウォームの進み角を４°〜１０°と適正な角度範囲にしたので、ロック状態の時でもウォームがロックせずセルフロック解除となるため、歯車への負荷が軽減され、その結果、回転が滑らかでかつ低騒音な使用性および耐久性を向上させた厨芥処理機を提供できる。
【０００９】
第２の発明は、駆動源の出力軸とウォームとを一体に形成したもので、作業性がよく、コンパクトで安価で、生産性にも優れ低コストの動力伝達機構を提供できる。
【００１０】
第３の発明は、駆動源の出力軸とウォームとを分離して、継手にて結合したもので、サービス交換しやすく、ウォームが摩耗したときでも部品で交換できるので、生産性にも優れ低コストの動力伝達機構を提供できる。
【００１１】
第４の発明は、駆動源を厨芥を収納容器の下方に配設したもので、本体の重心が下方に配設されることで、本体の安定性が向上し、本体が転倒しにくい。
【００１２】
第５の発明は、ウォームの歯形とウォームホイ−ルを横転移形状に構成したもので、歯形形状がコンパクトになり、かつ強度も増すことができて、コンパクトな伝達装置が供給できる。
【００１３】
第６の発明は、ウォームホイ−ルの回転軸を撹拌手段と連結させたもので、効率の良いコンパクトで音の静かな使い勝手のよい厨芥処理機を提供できる。
【００１４】
以下、本発明の実施の形態について、図面を参照しながら説明する。なお、この実施の形態によって本発明が限定されるものではない。
【００１５】
（実施の形態１）
図１は、本発明の一実施の形態における厨芥処理機の部分断面図、図２は駆動手段の平面一部断図面図、図３は駆動モータの軸にウォームを取り付けた外観図を示すものである
図１、図２および図３において、５０は厨芥を収納する収納容器で、この収納容器５０内には厨芥を粉砕、撹拌する手段として固定刃５１、回転刃５２を設けている。固定刃５１は厨芥の収納容器５０の内壁に設けられ、回転刃５２は厨芥の収納容器５０の底面から突出したセンタ−軸５３に固定されている。５４は収納容器５０をセットする外容器である。センタ−軸５３下端には、回転軸５５に固定したカップリング５６と着脱自在に連結されるカップリング受け５７が配置されていて、前記センタ−軸５３と前記回転軸５５とを連結している。５８はポリエチレンテレフタレ−ト等の機械的強度を有する合成樹脂で形成された収設ケ−スで、同様に合成樹脂で形成された蓋体５９とで回転軸５５に固定したウォームホイ−ル６０を内設している。
【００１６】
このウォームホイ−ル６０は、ポリアセタ−ル等の合成樹脂で形成され回転軸５５に形成したＤカット或いはＨカット等の廻り止め部６１に挿通され、廻り止め金具（図示せず）を介してトメワ（図示せず）で支持される。６４および６５は軸受メタルで回転軸５５を軸支し、上方にはオイルシ−ル６６を配置して密封している。６７はウォームホイ−ル６０と直交配置されたウォームで、駆動モータ６８の出力軸６９と連結具７０でねじ止めされている。なお、前記駆動モータ６８の出力軸６９と前記ウォーム６７とを一体成形して形成することも可能である。
【００１７】
そしてウォームホイ−ル６０とウォーム６７の噛合い部には、グリ−ス等の潤滑剤を塗布している。ウォーム６７は２個の玉軸受７２で回転支持されている。駆動モータ６８は収設ケ−ス５８にねじにて取付け固定している。
【００１８】
蓋体５９の中心部に段状の突出部７８を形成して、取付け基板７９の穴８０に挿入して上方からの荷重に対して収設ケ−ス５８および蓋体５９の変形を阻止し、且つ取付けの位置決めとして基板への組付けを容易にする。
【００１９】
穴８０のバ−リング状係止部８１は、段状の突出部７８を保持して駆動モータ６８の重さで駆動手段が倒れるのを防止し、取付け基板７９への組付けを容易にさせている。
【００２０】
また、図４のように、ウォーム６７の進み角度（＝α）を４°〜１０°の範囲に形成したことで、ロック状態の時でも、ウォーム６７がロックせずセルフロック解除となるため、ウォーム６７やウォームホイ−ル６０の歯車への負荷が軽減できる構成となっている。
また、前記ウォーム６７は先端を尖らせた横転移形状に構成しているため、ウォームホイ−ル６０の歯車の歯幅を増加させることができ、耐久性を向上できる。
【００２１】
以上のように構成された厨芥処理機について、以下その動作、作用を説明する。
【００２２】
まず、駆動モータ６８を駆動するとウォーム６７と噛合うウォームホイ−ル６０が回転し、回転軸５５に固定したカップリング５６と着脱自在に連結されるカップリング受け５７からセンタ−軸５３に固定された回転刃５２を回転させ、収納容器５０内に設けた固定刃５１とで収納容器５０内の厨芥を粉砕、撹拌させる。
【００２３】
この駆動モータ６８は、運転制御装置（図示せず）により、正回転および逆回転を間欠的に行うように回転制御され、乾燥手段（図示せず）、送風手段（図示せず）、脱臭手段（図示せず）などとともに運転制御されている。
【００２４】
ウォーム６７とウォームホイ−ル６０とで得られる減速比は、従来ベルトや歯車減速での減速比の数倍が得られるため、駆動モータ６８は従来の駆動モータの数分の一の出力トルクでよく、駆動モータ６８は小型の汎用品を使用でき、また周知のように静粛な減速手段となる。減速手段が小型コンパクトになり機器内への配置スぺ−スが小さく機器の小型化にもなる。
【００２５】
以上のように、本実施の形態では収納容器５０内の厨芥を撹拌する撹拌手段と、この撹拌手段を駆動させるウォームギヤと駆動モータ６８で構成した駆動手段を備えた厨芥処理機とすることにより、減速は駆動モータ６８のウォーム６７とこれと噛合うウォームホイ−ル６０との一対のウォームギヤによって容易に大幅な減速比が得られるため、駆動モータ６８の出力トルクは軽減され、汎用の小形モータが採用できるものとなり、駆動手段は小形コンパクト化と部品数の削減とで低コスト化することができる。
【産業上の利用可能性】
【００２６】
以上のように、本発明にかかる厨芥処理機は、撹拌手段への動力伝達装置の低騒音化および耐久性を向上できるので、家庭用、業務用問わず、撹拌手段を有するすべての厨芥処理機に有用である。
【図面の簡単な説明】
【００２７】
【図１】本発明の実施の形態１における同厨芥処理機の部分断面図
【図２】同駆動手段の要部部分断面図
【図３】同駆動源の軸にウォームを取り付けた外観図
【図４】図２のＡ部拡大図
【図５】従来の厨芥処理機の断面図
【符号の説明】
【００２８】
５０  収納容器
５１  固定刃（撹拌手段）
５２  回転刃（撹拌手段）
５４  外容器
５５  回転軸
５８  収設ケ−ス
５９  蓋体
６０  ウォームホイ−ル
６７  ウォーム
６８  駆動モータ（駆動源）
７０  連結具
７２  玉軸受
【図１】
2005185929.tif 000003
【図２】
2005185929.tif 000004
【図３】
2005185929.tif 000005
【図４】
2005185929.tif 000006
【図５】
2005185929.tif 000007